(57)【要約】【課題】  耐衝撃性に優れた、使用寿命の長い金属製高圧浮きを提供する。【解決手段】  金属製の本体（１０）と、中心パイプ（２０）と、磁石（３０）と、位置決め部材（４０）とを備え、前記本体（１０）は、中央に水平状の補強プレート（１１）が設けられ、該補強プレート（１１）の中央に貫通孔（１２）が形成され、前記中心パイプ（２０）は、前記本体（１０）の中央における貫通孔（１２）を通じて補強プレート（１１）と接触され、その両端に開口（２１）が形成され、前記磁石（３０）は、該補強プレート（１１）の上面に設けられ、前記位置決め部材（４０）は、中央に中心パイプ（２０）を貫設するための開口が形成され、その周縁に磁石（３０）を完全に被包される保護リング（４２）が設けられると共に、下縁が補強プレート（１１）と結合されることを特徴とする。【選択図】  図１
0003130486.tif 000002
【実用新案登録請求の範囲】
【請求項１】
金属製の本体と、中心パイプと、磁石と、位置決め部材と、を備え、
前記本体は、中央に水平状の補強プレートが設けられ、該補強プレートの中央に貫通孔が形成され、
前記中心パイプは、前記本体の中央における貫通孔を通じて補強プレートと接触され、その両端に開口が形成され、
前記磁石は、該補強プレートの上面に設けられ、
前記位置決め部材は、中央に中心パイプを貫設するための開口が形成され、その周縁に磁石を完全に被包される保護リングが設けられると共に、下縁が補強プレートと結合されることを特徴とする金属製高圧浮き。
【請求項２】
前記補強プレートの貫通孔の近傍に複数の結合孔が形成されることを特徴とする請求項１に記載の金属製高圧浮き。
【請求項３】
前記位置決め部材の下縁に結合孔に対応する複数の固定プレートが設けられることにより、位置決め部材を補強プレートと結合させることを特徴とする請求項２に記載の金属製高圧浮き。
【請求項４】
前記位置決め部材における保護リングの下縁に結合孔に対する複数の係合部が設けられることにより、位置決め部材を 補強プレートと結合させることを特徴とする請求項２に記載の金属製高圧浮き。
【請求項５】
前記磁石は、リング状を呈すると共に、前記中心パイプの外側に設けられることを特徴とする請求項３又は４に記載の金属製高圧浮き。
【請求項６】
前記位置決め部材における保護リングの外側に柱状の磁石を収容するための収容部が設けられることを特徴とする請求項３又は４に記載の金属製高圧浮き。
【請求項７】
前記補強プレートは、一字形のプレートであることを特徴とする請求項３又は４に記載の金属製高圧浮き。
【請求項８】
前記補強プレートは、断面が凸字形のプレートであることを特徴とする請求項３又は４に記載の金属製高圧浮き。
【請求項９】
前記本体は中空な球体であることを特徴とする請求項３又は４に記載の金属製高圧浮き。
【請求項１０】
前記位置決め部材は、アルミ合金からなることを特徴とする請求項３又は４に記載の金属製高圧浮き。
【請求項１１】
前記位置決め部材は、マグネシウム合金からなることを特徴とする請求項３又は４に記載の金属製高圧浮き。
【請求項１２】
前記位置決め部材は、チタン合金からなることを特徴とする請求項３又は４に記載の金属製高圧浮き。
【請求項１３】
前記位置決め部材は、プラスチックからなることを特徴とする請求項３又は４に記載の金属製高圧浮き。
【考案の詳細な説明】
【技術分野】
【０００１】
本考案は、特に耐衝撃性に優れた、使用寿命の長い金属製高圧浮きに関するものである。
【背景技術】
【０００２】
通常、高圧液体制御設備又は収容タンクの内部に液面を感知する液面センサが設けられ、該液面センサは、高圧浮きと、内部に磁力を有する作動ロッドからなり、該液面センサの高度位置の変化により、液面の位置を感知することができる。
【０００３】
図９に示すように、従来の高圧浮き（５０）は、球状を呈する金属製の本体（５１）を有し、該本体（５１）の内部に垂直に設ける金属製中心パイプ（５２）と位置決め部材（５３）が設けられ、該中心パイプ（５２）表面の所定位置にリング状の係合溝（５２０）が形成され、該位置決め部材（５３）は、二枚の位置決めプレート（５３０）と、該位置決めプレート（５３０）の間に設けられる磁石（５５）とを備え、各位置決めプレート（５３０）の中央に中心パイプ（５２）を貫通させるための孔が形成されると共に、該孔の周縁に係合溝（５２０）に係合する係合部（５３１）が設けられる。
【０００４】
図１０に示すように、従来の他の金属製高圧浮き（５０’）は、内部に位置決め部材（５３’）と、前記従来の高圧浮きにおける中心パイプ（５２）と同様な中心パイプ（５２’）とを有し、該位置決め部材（５３’）は、磁石（５５）と、該磁石（５５）の外側に設けられる二枚の位置決めプレート（５３０’）とを有し、該位置決めプレート（５３０’）の中央に上下へ伸びる結合筒部（５３２’）が設けられると共に、外側に止め部（５３３’）が設けられ、該結合筒部（５３２’）の中央に貫通孔（５３１’）が形成され、該磁石（５５）が位置決めプレート（５３０’）により挟まれ、結合筒部（５３２’）が溶接より中心パイプ（５２’）と結合される。
【考案の開示】
【考案が解決しようとする課題】
【０００５】
しかしながら、前記従来の金属製浮き（５０）（５０’）における磁石（５５）は、位置決め部材（５３）（５３’）より完全に被包されないため、金属製浮き（５０）（５０’）の作動により、該磁石が壊れる恐れがあるので、金属製浮き（５０）（５０’）の功能を失ってしまうという問題があった。
【０００６】
そこで、案出されたのが本考案であって、耐衝撃性に優れた、使用寿命の長い金属製高圧浮きを提供することを目的としている。
【課題を解決するための手段】
【０００７】
本願の請求項１の考案は、金属製の本体と、中心パイプと、磁石と、位置決め部材と、を備え、前記本体は、中央に水平状の補強プレートが設けられ、該補強プレートの中央に貫通孔が形成され、前記中心パイプは、前記本体の中央における貫通孔を通じて補強プレートと接触され、その両端に開口が形成され、前記磁石は、該補強プレートの上面に設けられ、前記位置決め部材は、中央に中心パイプを貫設するための開口が形成され、その周縁に磁石を完全に被包される保護リングが設けられると共に、下縁が補強プレートと結合されることを特徴とする金属製高圧浮き、を提供する。
【０００８】
本願の請求項２の考案は、前記補強プレートの貫通孔の近傍に複数の結合孔が形成されることを特徴とする請求項１に記載の金属製高圧浮き、を提供する。
【０００９】
本願の請求項３の考案は、前記位置決め部材の下縁に結合孔に対応する複数の固定プレートが設けられることにより、位置決め部材を補強プレートと結合させることを特徴とする請求項２に記載の金属製高圧浮き、を提供する。
【００１０】
本願の請求項４の考案は、前記位置決め部材における保護リングの下縁に結合孔に対する複数の係合部が設けられることにより、位置決め部材を 補強プレートと結合させることを特徴とする請求項２に記載の金属製高圧浮き、を提供する。
【００１１】
本願の請求項５の考案は、前記磁石は、リング状を呈すると共に、前記中心パイプの外側に設けられることを特徴とする請求項３又は４に記載の金属製高圧浮き、を提供する。
【００１２】
本願の請求項６の考案は、前記位置決め部材における保護リングの外側に柱状の磁石を収容するための収容部が設けられることを特徴とする請求項３又は４に記載の金属製高圧浮き、を提供する。
【００１３】
本願の請求項７の考案は、前記補強プレートは、一字形のプレートであることを特徴とする請求項３又は４に記載の金属製高圧浮き、を提供する。
【００１４】
本願の請求項８の考案は、前記補強プレートは、断面が凸字形のプレートであることを特徴とする請求項３又は４に記載の金属製高圧浮き、を提供する。
【００１５】
本願の請求項９の考案は、前記本体は中空な球体であることを特徴とする請求項３又は４に記載の金属製高圧浮き、を提供する。
【００１６】
本願の請求項１０の考案は、前記位置決め部材は、アルミ合金からなることを特徴とする請求項３又は４に記載の金属製高圧浮き、を提供する。
【００１７】
本願の請求項１１の考案は、前記位置決め部材は、マグネシウム合金からなることを特徴とする請求項３又は４に記載の金属製高圧浮き、を提供する。
【００１８】
本願の請求項１２の考案は、前記位置決め部材は、チタン合金からなることを特徴とする請求項３又は４に記載の金属製高圧浮き、を提供する。
【００１９】
本願の請求項１３の考案は、前記位置決め部材は、プラスチックからなることを特徴とする請求項３又は４に記載の金属製高圧浮き、を提供する。
【考案の効果】
【００２０】
本考案は上記の課題を解決するものであり、球状の本体中央に水平状の補強プレートが設けられ、該補強プレートの中央に中心パイプが設けられ、該中心パイプの外側における補強パイプの上面に磁石を完全に被包される位置決め部材が設けられることにより、磁石を確実に保護できるので、高圧浮きの使用寿命をより延長することができる。
【考案を実施するための最良の形態】
【００２１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２２】
図１は本考案に係る金属製高圧浮きの第１実施例を示す断面図であり、図２は本考案に係る金属製高圧浮きの第１実施例の部分分解斜視図であり、図３は本考案に係る金属製高圧浮きの第１実施例の部分斜視図であり、図４は本考案に係る金属製高圧浮きの第１実施例の使用状態を示す断面図であり、図５は本考案に係る金属製高圧浮きの第２実施例の部分分解斜視図であり、図６は本考案に係る金属製高圧浮きの第３実施例の使用状態を示す断面図であり、図７は本考案に係る金属製高圧浮きの第４実施例の使用状態を示す断面図であり、図８は本考案に係る金属製高圧浮きの使用状態を示す参考図である。
【００２３】
図１及び図５に示すように、本考案に係る金属製高圧浮きは、球状の金属製の本体（１０）と、中心パイプ（２０）と、磁石（３０）（３０’）と、位置決め部材（４０）（４０’）と、を備える。
【００２４】
前記本体は、中央に水平状の補強プレート（１１）が設けられ、該補強プレート（１１）の中央に貫通孔（１２）が形成されると共に、該貫通孔（１２）の近傍に四つの結合孔（１３）が形成される。
【００２５】
図２及び図４に示すように、前記補強プレート（１１）は、断面が凸字形の補強プレート（１１’）でもよく、その上面から底面までの距離Ａは、磁石（３０）の設置位置により調整することができる。
【００２６】
前記中心パイプ（２０）は、金属製であると共に、本体（１０）の中央における貫通孔（１２）を通じて補強プレート（１１）と接触され、その両端に開口（２１）が形成される。
【００２７】
前記磁石（３０）は、リング状を呈すると共に、中心パイプ（２０）の外側における補強プレート（１１）の上面に設けられる。
【００２８】
前記位置決め部材（４０）（４０’）は、アルミ−チタンなどの軽質の金属、又はプラスチックからなると共に、磁石（３０）の外側に設けられることにより、磁石（３０）を完全に被包される。
【００２９】
又、図２乃至図４に示すように、前記金属製の位置決め部材（４０）は、中央に中心パイプ（２０）を貫設するための開口（４１）が形成され、その周縁に磁石（３０）を被包される保護リング（４２）が設けられると共に、下縁に結合孔（１３）に対応する複数の固定プレート（４２０）が設けられることにより、位置決め部材（４０）を補強プレート（１１）（１１’）と結合させる。
【００３０】
図５に示すように、前記位置決め部材（４０）における保護リング（４２）の外側に柱状の磁石（３０’）を収容するために二つの収容部（４２１）が設けられることができる。
【００３１】
又、図６に示すように、前記プラスチック製の位置決め部材（４０’）は前記位置決め部材（４０）と殆ど等しく、異なるのは、該位置決め部材（４０’）における保護リング（４２）の下縁に結合孔（１３）に対する複数の係合部（４２０’）が設けられることにより、位置決め部材（４０’）を 補強プレート（１１’）と結合させる。
【００３２】
図７に示すように、前記金属製の位置決め部材（４０）における保護リング（４２）の中央に磁石（３０）の下部を位置決めするための突出部（４３）が設けられ、該突出部（４３）から補強プレート（１１）までの距離Ｂは、需要に応じて調整することにより、磁石（３０）の位置を調整できる。
【００３３】
図２、図５及び図８に示すように、本考案に係る金属製高圧浮きは、作動ロッド（６１）と組合わせて液面センサとなり、このような液面センサが液体を収容する収容タンク（６０）に設置され、該作動ロッド（６１）は、垂直に収容タンク（６０）の内部に設置されると共に、内部に中心パイプ（２０）を貫通する感知スイッチ（６１０）が設けられることにより、金属製高圧浮きが作動ロッド（６１）に沿って上下移動することができ、又、該作動ロッド（６１）の下端に金属製高圧浮きの脱落を防止するためのストッパー（６１１）が設けられる。
【産業上の利用可能性】
【００３４】
本考案は上記の構成を有し、球状の本体中央に水平状の補強プレートが設けられ、該補強プレートの中央に中心パイプが設けられ、該中心パイプの外側における補強パイプの上面に磁石を完全に被包される位置決め部材が設けられることにより、磁石を確実に保護できるので、高圧浮きの使用寿命をより延長することができる。
【図面の簡単な説明】
【００３５】
【図１】本考案に係る金属製高圧浮きの第１実施例を示す断面図である。
【図２】本考案に係る金属製高圧浮きの第１実施例の部分分解斜視図である。
【図３】本考案に係る金属製高圧浮きの第１実施例の部分斜視図である。
【図４】本考案に係る金属製高圧浮きの第１実施例の使用状態を示す断面図である。
【図５】本考案に係る金属製高圧浮きの第２実施例の部分分解斜視図である。
【図６】本考案に係る金属製高圧浮きの第３実施例の使用状態を示す断面図である。
【図７】本考案に係る金属製高圧浮きの第４実施例の使用状態を示す断面図である。
【図８】本考案に係る金属製高圧浮きの使用状態を示す参考図である。
【図９】従来の金属製高圧浮きを示す断面図である
【図１０】従来の他の金属製高圧浮きを示す断面図である。
【符号の説明】
【００３６】
１０        本体                 
１１、１１’        補強プレート
１２        貫通孔               
１３        結合孔
２０        中心パイプ           
２１        開口
３０        磁石                 
３０’      磁石
４０        位置決め部材         
４０’      位置決め部材
４１        開口                 
４２        保護リング
４２０      固定プレート         
４２０’    係合部
４２１      収容部               
４３        突出部
５０        高圧浮き             
５０’      高圧浮き
５１        本体                 
５２        中心パイプ
５２’      中心パイプ
５２０      係合溝               
５３        位置決め部材         
５３０      位置決めプレート
５３１      係合部               
５３’      位置決め部材
５３０’    位置決めプレート     
５３１’    貫通孔
５３２’    結合筒部             
５３３’    止め部
５５        磁石                 
６０        収容タンク
６１        作動ロッド           
６１０      感知スイッチ
６１１      ストッパー
【図１】
0003130486.tif 000003
【図２】
0003130486.tif 000004
【図３】
0003130486.tif 000005
【図４】
0003130486.tif 000006
【図５】
0003130486.tif 000007
【図６】
0003130486.tif 000008
【図７】
0003130486.tif 000009
【図８】
0003130486.tif 000010
【図９】
0003130486.tif 000011
【図１０】
0003130486.tif 000012